(57)【要約】【課題】  画像の偽色が発生しやすい個所やジャギーの発生を検出し、従来のオーバー露出を表示することが可能な撮像装置を提供する。【解決手段】  撮像手段により得られた画像信号を記録媒体に記録する記録手段と、撮像手段により得られた画像を表示する表示手段と、撮像手段により撮影された画像の偽色またはジャギーが発生する若しくは発生する可能性がある部分を検出し、前記画像と共に前記検出した部分の情報を前記表示手段に表示する制御手段とを備える。【選択図】  図２
2005176041.tif 000002
【特許請求の範囲】
【請求項１】
撮像手段により得られた画像信号を記録媒体に記録する記録手段と、撮像手段により得られた画像を表示する表示手段と、撮像手段により撮影された画像の偽色またはジャギーが発生する部分を検出し、前記画像と共に前記検出した部分の情報を前記表示手段に表示する制御手段とを備える撮像装置。
【請求項２】
前記画像信号中の前記検出された偽色あるいはジャギーを軽減する手段を備えたことを特徴とする請求項１記載の撮像装置。
【請求項３】
前記軽減する手段は、ローパスフィルター又はダスト・スクラッチフィルターを含むことを特徴とする請求項２記載の撮像装置。
【発明の詳細な説明】
【技術分野】
【０００１】
本発明は、撮像装置に関するものである。
【背景技術】
【０００２】
従来は、カメラ背面にあるＥＶＦに、画像のヒストグラム表示や画像のオーバー露出の部分を反転表示するようなデジタルカメラが特許文献１に記載されている。これは、適正な露出量を判断するのに非常な有効な手段として重宝されている。
【特許文献１】特開平０７-０３８８０１号公報
【発明の開示】
【発明が解決しようとする課題】
【０００３】
しかしながら、カメラ背面のＴＦＴ液晶などのＥＶＦ表示は、実際の画像とは異なるサムネイル画像や、本画像から生成された画像を表示している場合が多く、ＥＶＦ表示では、画像のどの部分に偽色が発生しているのか、ジャギー（グラフィックスイメージを点の集まりとして表現するとき、解像度が低いと（単位面積あたりの点の数が少ないと）、斜めの線に階段状の現れるギザギザ）が発生しているのか判断し難い。
【０００４】
また、液晶表示の能力で、本来の画像には無い偽色が見えることもあり通常のＥＶＦ表示のみでは正しい判定が出来ない問題点がある。
【０００５】
本発明は上記問題に鑑み、撮像素子のピッチや実装されている光学ローパスフィルターの特性やカラーフィルターの配列情報や、撮影された画像の空間周波数などを用いて既存の手段で、画像の偽色が発生しやすい個所や、ジャギーが発生検出し、従来オーバー露出を表示していた手法（オーバー個所を反転表示したり色をつけたりする表示）などで警告表示する撮像装置を提供することを目的とする
また、偽色やジャギーを軽減する手段（ローパスフィルターやダスト・スクラッチフィルターなど）をカメラにもち、警告表示を見て、撮影者の判断で軽減手段の実行を可能とする撮像装置を提供することを目的とする。
【課題を解決するための手段】
【０００６】
上記課題を解決するために本発明は、撮像手段により得られた画像信号を記録媒体に記録する記録手段と、撮像手段により得られた画像を表示する表示手段と、撮像手段により撮影された画像の偽色またはジャギーが発生する若しくはジャギーが発生する可能がある部分を検出し、前記画像と共に前記検出した部分の情報を前記表示手段に表示する制御手段とを備える。
【発明の効果】
【０００７】
本発明によれば、今までパソコン上で撮影した画像を開いてはじめて認識される画像の偽色やギャギーが、カメラ背面の小さなＥＶＦで確認できるようになり、偽色やジャギーの少ない撮影が可能になる。
【０００８】
さらに、ＥＶＦの警告表示は、撮影距離を変えたり、焦点距離を変えたり、ピント位置を変更したり、カメラに内蔵されたローパスフィルターやダスト・スクラッチフィルターなどを実行する判断の基準になる。
【発明を実施するための最良の形態】
【０００９】
以下に本発明の実施例について説明する。
【実施例１】
【００１０】
以下に、本発明の第１の実施例を図１〜図４に基づき説明する。
【００１１】
この実施例１では、撮影された画像の偽色やジャギーなどＥＶＦ表示手段では確認し難い画像の特徴を検出し、ＥＶＦに画像と共に警告を表示する実施態様についても説明する。
【００１２】
第２図は、本発明のカメラのブロック図である。
【００１３】
１は撮影レンズである。ＡＦ（オートフォーカス）駆動回路部２は、例えば、ステッピングモータによって構成され、マイクロコンピュータ１６の制御によって撮影レンズ１内のフォーカスレンズ位置を変化させることによりフィルムにピントを合わせる。フォーカス演算に用いるデフォーカス量は、ＣＣＤの出力の特定エリアを映像信号処理回路１０を用いて演算する。
【００１４】
ズーム（ＺＯＯＭ）駆動回路部３は、例えば、ステッピングモータによって構成され、マイクロコンピュータ１６の制御によって撮影レンズ１内の変倍レンズ位置を変化させることにより撮影レンズの焦点距離を変化させる。
【００１５】
絞り駆動回路部４は、例えば、オートアイリス等によって構成され、マイクロコンピュータ１６の制御によって光学的な絞り値を変化させる。
【００１６】
撮像素子部６としてはＣＣＤ等が用いられ、光学的な撮像レンズ１によってその撮像素子上に結像されたフィルム像を光電変換して電気信号として取り出す。
【００１７】
クランプ／ＣＤＳ回路７やＡＧＣ８はＡ／Ｄ変換をする前の基本的アナログ処理を行う。マイクロコンピュータ１６により、クランプレベルやＡＧＣ基準レベルの変更も可能である。Ａ／Ｄ変換部９はアナログのＣＣＤ出力信号をデジタル信号に変換する（したがって、これら撮像素子部６、クランプ／ＣＤＳ回路７、ＡＧＣ８、Ａ／Ｄ変換部９が光画像を光電変換素子によって電気画像信号に変換する手段に相当することになる）。
【００１８】
映像信号処理回路１０は、デジタル化されたＣＣＤ画像データに、フィルター処理、色変換処理、ガンマー／ニー処理を行い、メモリーコントローラ１３に出力する。他方、この映像信号処理回路はＤＡ変換にも内蔵されており、ＣＣＤ６から入力される映像信号や、メモリーコントローラ１３から逆に入力される画像データをアナログ信号に変換し、ＥＶＦ駆動回路１１を通してＥＶＦモニタ１２に出力することも可能である。これらの機能切り替えはマイクロコンピュータ１６とのデータ交換により行われ、必要に応じてＣＣＤ信号の露出情報やフォーカス情報やホワイトバランスやオートフォーカス情報をマイクロコンピュータ１６に出力可能である。その情報を基にマイクロコンピュータ１６はホワイトバランスやゲイン調整を行う。また、フォーカス情報を評価してＡＦ駆動回路２に通信してフォーカスレンズを駆動する。
【００１９】
また、映像信号処理回路１０とメモリーコントロール１３をマイクロコンピュータ１６でコントロールし、演算し、ジャギーや偽色の検出を行うことも可能である。そして、撮影画像に検出結果の警告を合わせた画像をバッファーメモリー１９上に生成し、メモリーコントローラ１３から逆に生成した画像データをアナログ信号に変換し、ＥＶＦ駆動回路１１を通してＥＶＦモニタ１２に撮影画像に検出結果の警告を合わせた画像を出力することも可能である。
【００２０】
また、マイクロコンピュータ１６の指示により、何もせずに１３のメモリーコントローラを通してバッファーメモリー１９に画像データを保存することも可能である。映像信号処理回路はＪＰＥＧなどの圧縮処理する機能も備えており、連写の場合は一旦、バッファーメモリー１９に撮影データを格納し、処理時間がある場合にメモリーコントローラ１３を通して未処理の画像データを読み出し、１３の映像信号処理回路で画像処理や圧縮処理を行い連写スピードを稼ぐ。連写枚数は、バッファーメモリー１９の大きさに大きく左右される。
【００２１】
メモリーコントローラ部１３では、映像信号処理回路１０から入力された未処理のデジタル画像データをバッファーメモリー１９に格納し、処理済みのデジタル画像をメモリー１４に格納したり、逆にバッファーメモリー１９やメモリー１４から画像データを映像信号処理回路部１０に出力したりする。また、本コントローラは、外部インターフェース１５から送られてくる映像をメモリー１４に記憶したり、メモリー１４に記憶されている画像を外部インターフェース１５から出力可能である。メモリー１４は取り外し自由である場合もある。
【００２２】
電源部１７は、各ＩＣや駆動系に必要な電源を供給する。操作部材１８は、マイクロコンピュータ１６に操作部材の状態を伝え、マイクロコンピュータ１６はその操作部材の変化に応じて各部をコントロールする。２１はレリーズ釦であり、操作部材１８の入力スイッチである。２１（ａ）のみオンの状態はレリーズ釦半押し状態であり、２１（ａ）、２１（ｂ）が共にオンの場合は、撮影画像をホールドし記録するためのレリーズ釦オン状態である。
【００２３】
操作部材１８には、レリーズ釦２１のほかに不図示のスイッチがつながっており、スイッチの状態が検出されている。この実施例１では、ここで偽色の検出やギャギーの検出モードの設定や軽減のＯＮ，ＯＦＦを入力する。
【００２４】
２１は液晶駆動回路であり、マイクロコンピュータ１６の表示内容命令に従って、２２の外部液晶表示や２３のファインダー内液晶表示を駆動する。また、ファインダー内の液晶表示２３には、不図示のＬＥＤなどのバックライトが配置されており、そのＬＥＤも２１の液晶駆動回路で駆動される。
【００２５】
次に図３のフローチャート図を用いて、本実施例で用いるカメラの動作について説明する。
【００２６】
動作初めから（Ｓ３００）、電源ＯＦＦタイマーがタイムアウトしたかどうかの判定を行い（Ｓ３０１）、タイムアウトと判定された場合は電源ＯＦＦの処理のためにＳ３１８に進む。タイムアウトされてない場合はＳ３０２に進む。
【００２７】
各種の設定を行う操作部材１８の入力により、カメラのモードなどの各種の設定を行う（Ｓ３０２）。本実施例では、ここで、偽色の検出やギャギーの検出モードの設定や、軽減のＯＮ，ＯＦＦを入力する。
【００２８】
次に、Ｓ３０２で設定した状態や各種の設定状態を外部液晶表示部材２２などに表示する（Ｓ３０３）。
【００２９】
レリーズ釦２１が半押し状態かどうかの判定を行い（Ｓ３０４）、２１（ａ）のみオンの半押し状態の場合はタイマー更新のためにＳ３０５に進み、全く押されてない（２１（ａ）も２１（ｂ）も押されていない状態）ではＳ３０１進む。
【００３０】
Ｓ３０５では、電源ＯＦＦタイマーの更新を行い、ＣＣＤ６の画像をクランプ／ＣＤＳ回路７、ＡＧＣ８、Ａ／Ｄ変換部９の回路により取り込む。この際、モード設定時は偽色やジャギーの検出も行う（Ｓ３０６）。
【００３１】
Ｓ３０７で映像信号処理回路１０の出力であるフォーカス情報に基づいてレンズ駆動量を演算決定し、ＡＦ駆動回路を用いてレンズ１の一部を駆動し、ピント調整する。また、映像信号処理回路１０の出力である露出条件情報を基に、適正な明るさになるように、ＡＧＣ８に送るゲイン値や絞り駆動回路４に送る絞り値やＣＣＤ６の制御用電子シャッター値を演算決定し制御する（Ｓ３０８）。さらにＳ３０９では、映像信号処理回路１０の出力であるホワイトバランス情報を基に、適正な色になるように、映像信号処理回路１０で用いるＲとＢのゲインとを演算決定し制御する。
【００３２】
次に、Ｓ３０６で取りこまれて各制御された画像信号をＥＶＦ駆動回路１１に送り、ＥＶＦ１２に表示する。この際、偽色やジャギーの検出モードが設定されている場合は、検出個所の警告も合わせて表示する（Ｓ３１０）。また、Ｓ３０７、Ｓ３０８、Ｓ３０９で決定した撮影情報を液晶駆動回路２１に送り、外部液晶表示２２やファインダー内液晶表示２３に表示する。２３の液晶表示のバックライトも点灯する。
【００３３】
さらに、レリーズが可能状態であり、かつ、レリーズ釦が完全に押された（２１（ａ）と２１（ｂ））が同時にオン状態）になったかどうかの判定を行い（Ｓ３１１）、完全に押された状態の場合は画像を保存するために、Ｓ３１２に進み、押されてない場合はＳ３０１に戻る。
【００３４】
Ｓ３１２では、メモリーコントロール１３に画像信号を送り、バッファーメモリー１９に画像を一時保管する。
【００３５】
バッファーメモリー１９に格納された未処理の画像を映像信号処理回路１０の負荷が画像処理できるレベルであるときに処理し、圧縮し、メモリー１４に格納する動作をスタートする（Ｓ３１３）。連写等の場合は、バッファーメモリー１９に画像がどんどん格納されるが、画像処理は停止した状態になることもある。
【００３６】
メモリー１４に記憶可能な領域が存在するか判定するためＳ３１４に進むが、判定を行う際は、まだ、未処理のバッファーメモリー１９上の画像も考慮して判定を行う。
【００３７】
Ｓ３１４の結果、撮影可能であったかどうかの判定を行い（Ｓ３１５）、撮影可能である場合は、レリーズ釦２１が押されているかどうかの判定のためＳ３１６に進み、撮影可能でない場合は、警告表示を出すためにＳ３１７に進む。
【００３８】
Ｓ３１６では、２１（ａ）もしくは２１（ａ）と２１（ｂ）の両方が押されているかどうかの判定を行い、押されてない場合はＳ３０１に戻り、押されている場合はＳ３０５に進む。また、Ｓ３１７では、レリーズできない状態であなどの警告表示を行う。
【００３９】
Ｓ３１８では、ＥＶＦ駆動回路１１により、ＥＶＦ表示１２を消灯し、液晶表示２３のバックライトも消灯する。そして、Ｓ３１３で開始した画像処理と圧縮とメモリー格納がすべて終了し、バッファーメモリー１９が空になるのを待ち（Ｓ３１９）、電源回路１７に指示を出し、必要無い電源は落とし（Ｓ３２０）、動作終了となる（３２１）。
【００４０】
次に図１のフロー図を用いて、図３のＳ３０２、Ｓ３０６、Ｓ３１０の部分に係る偽色の検出やギャギーの検出モードの設定や、軽減のＯＮ，ＯＦＦを入力等に係る処理について詳細に説明する。
【００４１】
開始処理（Ｓ１００）から、偽色を検出するモードがＳ３０２で操作部材１８により選択されているかどうかの判定を行う（Ｓ１０１）。ここで、偽色を検出するモードが設定されている場合は、Ｓ１０２に進み、設定されていない場合は、Ｓ１０６に進む。
【００４２】
Ｓ１０２では、撮像素子のピッチや実装されている光学ローパスフィルターの特性やカラーフィルターの配列情報や、撮影された画像の空間周波数などを用いて既存の手段で、画像の偽色が発生しやすい個所の検出を行う。
【００４３】
そして、Ｓ１０２で検出した部分を撮影画像上に反転表示、または、着色表示しＥＶＦ上でどの部分に偽色が発生するかをわかりやすく表示する（Ｓ１０３）。図４は、その状態を示し、ビルの上の方や髪の毛の部分に偽色が発生していることを示している。
【００４４】
さらに、偽色を軽減する処理を行うよう入力部材１８が操作されたかどうかの判定を行い（Ｓ１０４）、軽減処理を行うような指示があった場合は、ダスト・スクラッチなどのフィルター処理を行い、偽色を軽減し、結果を表示する（Ｓ１０５）指示が無かった場合は終了（Ｓ１１１）となる、
ジャギーを検出するモードが（３０２）で操作部材１８により選択されているかどうかの判定を行い（Ｓ１０６）、ジャギーを検出するモードが設定されている場合は、撮像素子のピッチや実装されている光学ローパスフィルターの特性やカラーフィルターの配列情報や、撮影された画像の空間周波数などを用いて既存の手段で、画像のジャギーが発生しやすい個所の検出を行う（Ｓ１０７）。ジャギーを検出するモードが設定されていない場合は、終了（Ｓ１１１）となる。
【００４５】
Ｓ１０８では、Ｓ１０７で検出した部分を撮影画像上に反転表示、または、着色表示しＥＶＦ上でどの部分に偽色が発生するかをわかりやすく表示する。図４は、その状態を示し、ビルの上の方や髪の毛の部分にジャギーが発生していることを示している。
【００４６】
そして、ジャギーを軽減する処理を行うよう入力部材１８が操作されたかどうかの判定を行い（Ｓ１０９）、軽減処理を行うような指示があった場合は、ローパスフィルター処理、補間処理などを行い、ギャギーを軽減し、結果を表示する（Ｓ１１０）。指示が無かった場合は終了（Ｓ１１１）となる。
【００４７】
この実施例１によると、撮影された画像の偽色やジャギーなどを表示する手段、偽色やジャギーを軽減する手段が、映像信号処理回路１０、メモリーコントローラ１３、マイクロコンピュータ１６等の処理手段により行われ、今まで、パソコン上で撮影した画像を開いてはじめて認識される、画像の偽色やギャギーが、カメラ背面の小さなＥＶＦで確認できるようになった。
【００４８】
なお、以上が本発明の各構成と実施形態の各構成の対応関係であるが、本発明はこれら実施例の構成に限られるものではなく、請求項に示した機構または実施例の構成が待つ機能が達成できる構成であればどのようなものであってもよい。
【図面の簡単な説明】
【００４９】
【図１】本発明に係る第１の実施例のフローチャート図である。
【図２】本発明に係る第１の実施例のブロック図である。
【図３】本発明に係る第１の実施例のカメラ動作を示すフロー図
【図４】本発明に係る第１の実施例のイメージ図であり、（ａ）は検出結果表示前、（ｂ）は検出結果表示後を示すものである。
【符号の説明】
【００５０】
１        撮影レンズ
２        ＡＦ（オートフォーカス）駆動回路部
３        ズーム（ＺＯＯＭ）駆動回路部
４        絞り駆動回路部
６        撮像素子部（ＣＣＤ）
７        クランプ／ＣＤＳ回路
８        ＡＧＣ
９        Ａ／Ｄ変換部
１０      映像信号処理回路
１１      ＥＶＦ駆動回路
１２      ＥＶＦモニタ
１３      メモリーコントローラ
１４      メモリー
１５      外部インターフェース
１６      マイクロコンピュータ
１７      電源部
１８      操作部材
１９      バッファーメモリー
２０      レリーズ釦
２１      液晶駆動回路
２２      外部液晶表示
２３      ファインダー内液晶表示
【図１】
2005176041.tif 000003
【図２】
2005176041.tif 000004
【図３】
2005176041.tif 000005
【図４】
2005176041.tif 000006